(57)【要約】      （修正有）【課題】閲覧者がどういう人物かをリアルタイムに知ることのできるマッチングシステムを提供する。【解決手段】提供情報サーバ装置は、端末装置を識別するための情報である端末識別情報と関連付けられた提供情報を蓄積する提供情報蓄積部と、提供情報を閲覧する提供情報閲覧部と、提供情報を閲覧する者を識別する情報である提供情報閲覧者識別情報を取得する提供情報閲覧者識別情報取得部と、提供情報閲覧者識別情報取得部で取得した提供情報閲覧者識別情報を、提供情報に関連付けられた端末識別情報で識別される端末に対して送信する提供情報閲覧者識別情報送信部と、を有し、端末装置は、提供情報サーバ装置の提供情報閲覧者識別情報送信部から送信された提供情報閲覧者識別情報を受信する提供情報閲覧者識別情報受信部を有するマッチングシステムに関する。【選択図】  図１
2005234828.tif 000002
【特許請求の範囲】
【請求項１】
端末装置と、提供情報サーバ装置と、からなるマッチングシステムであって、
前記提供情報サーバ装置は、
前記端末装置を識別するための情報である端末識別情報と関連付けられた提供情報を蓄積する提供情報蓄積部と、
前記提供情報を閲覧する提供情報閲覧部と、
前記提供情報を閲覧する者を識別する情報である提供情報閲覧者識別情報を取得する提供情報閲覧者識別情報取得部と、
前記提供情報閲覧者識別情報取得部で取得した提供情報閲覧者識別情報を、前記提供情報に関連付けられた端末識別情報で識別される端末に対して送信する提供情報閲覧者識別情報送信部と、
を有し、
前記端末装置は、
前記提供情報サーバ装置の前記提供情報閲覧者識別情報送信部から送信された提供情報閲覧者識別情報を受信する提供情報閲覧者識別情報受信部を有する
マッチングシステム。
【請求項２】
前記端末装置は、
第一のメッセージである第一メッセージ取得部と、
前記第一メッセージ取得部から取得された第一メッセージ情報を前記提供情報閲覧者識別情報と関連付けて送信する第一メッセージ情報送信部を有する請求項１に記載のマッチングシステム。
【請求項３】
前記提供情報サーバ装置は、
前記端末装置の前記メッセージ送信部から送信された第一メッセージ情報を受信する第一メッセージ情報受信部と、
前記第一メッセージ情報受信部で受信した第一メッセージ情報と関連付けられた提供情報閲覧者識別情報で識別される提供情報閲覧者に第一メッセージ情報に基づいて第一メッセージを閲覧させるための第一メッセージ出力部と、
を有する請求項２に記載のマッチングシステム。
【請求項４】
前記端末は、
前記端末装置の前記提供情報閲覧者識別情報受信部で受信した提供情報閲覧者識別情報に基づいて提供情報閲覧者に関する情報である提供情報閲覧者情報を取得する提供情報閲覧者情報取得部を有する請求項１から３のいずれか一に記載のマッチングシステム。
【発明の詳細な説明】
【技術分野】
【０００１】
本件発明は、複数の情報提供者の提供情報を閲覧した閲覧者が、選択した情報提供者とコミュニケーションするマッチングシステムに関する。
【背景技術】
【０００２】
現在、ネットワークを介して、不特定多数の人たちが参加して、ビデオチャットやメッセージ通信などの画像情報あるいは音声情報を提供するシステムが利用されている。
【特許文献１】特開２００３−０８５１１３
【発明の開示】
【発明が解決しようとする課題】
【０００３】
しかしながら、これらのシステムでは、情報を提供した情報提供者が、リアルタイムに閲覧者の情報を知ることができないため、とりあえず会話をして情報を探り出してから、気に入るかどうか判断することになる。このため、情報提供者にとっては、気に入った相手の場合にはそのまま会話を続ければよいが、気に入らない相手の場合には、閲覧者への情報提供者の情報漏れ等の問題が発生する。
【課題を解決するための手段】
【０００４】
本件発明は、上記課題に鑑みなされたものである。
【０００５】
第一の発明は、端末装置と、提供情報サーバ装置と、からなるマッチングシステムであって、前記提供情報サーバ装置は、前記端末装置を識別するための情報である端末識別情報と関連付けられた提供情報を蓄積する提供情報蓄積部と、前記提供情報を閲覧する提供情報閲覧部と、前記提供情報を閲覧する者を識別する情報である提供情報閲覧者識別情報を取得する提供情報閲覧者識別情報取得部と、前記提供情報閲覧者識別情報取得部で取得した提供情報閲覧者識別情報を、前記提供情報に関連付けられた端末識別情報で識別される端末に対して送信する提供情報閲覧者識別情報送信部と、を有し、前記端末装置は、前記提供情報サーバ装置の前記提供情報閲覧者識別情報送信部から送信された提供情報閲覧者識別情報を受信する提供情報閲覧者識別情報受信部を有するマッチングシステムに関する。
【０００６】
第二の発明は、前記端末装置は、第一のメッセージである第一メッセージ取得部と、前記第一メッセージ取得部から取得された第一メッセージ情報を前記提供情報閲覧者識別情報と関連付けて送信する第一メッセージ情報送信部を有する第一の発明に記載のマッチングシステムに関する。
【０００７】
第三の発明は、前記提供情報サーバ装置は、前記端末装置の前記メッセージ送信部から送信された第一メッセージ情報を受信する第一メッセージ情報受信部と、前記第一メッセージ情報受信部で受信した第一メッセージ情報と関連付けられた提供情報閲覧者識別情報で識別される提供情報閲覧者に第一メッセージ情報に基づいて第一メッセージを閲覧させるための第一メッセージ出力部と、を有する第二の発明に記載のマッチングシステムに関する。
【０００８】
第四の発明は、前記端末は、前記端末装置の前記提供情報閲覧者識別情報受信部で受信した提供情報閲覧者識別情報に基づいて提供情報閲覧者に関する情報である提供情報閲覧者情報を取得する提供情報閲覧者情報取得部を有する第一の発明から第三の発明のいずれか一に記載のマッチングシステムに関する。
【発明の効果】
【０００９】
本件発明によれば、提供情報閲覧者識別情報を端末装置に通知することができるので、閲覧者がどういう人物かということをリアルタイムに知ることができる。このため、情報提供者が、閲覧者を気に入れば即座にコミュニケーションでき、気に入らなければコミュニケーションを拒否することもできる。
【発明を実施するための最良の形態】
【００１０】
以下に本件発明の実施形態を説明する。実施形態と、請求項との関係はおおむね次のようなものである。
実施形態１は、主に、請求項１について説明している。
実施形態２は、主に、請求項２について説明している。
実施形態３は、主に、請求項３について説明している。
実施形態４は、主に、請求項４について説明している。
【００１１】
<<実施形態１>>
<実施形態１の概念>
以下に、実施形態１の概念を説明する。
図１は、本実施形態の概念を説明するための図である。
提供情報閲覧者は、予め登録された複数の情報提供者の提供情報の中から自分の趣味・嗜好に合った提供情報を閲覧する。すると、提供情報閲覧者の識別情報が、提供情報を閲覧された情報提供者の端末装置に送信されることにより、情報提供者は誰かが自分の提供情報を閲覧したことを認識する。
【００１２】
<構成要件の明示>
以下に、実施形態１の構成要件を明示する。
図２は、本実施形態のマッチングシステムの機能ブロック図である。
本実施形態のマッチングシステム０２００は、提供情報サーバ装置０２０１と、端末装置０２０２と、からなる。提供情報サーバ装置は、提供情報蓄積部０２０３と、提供情報閲覧部０２０４と、提供情報閲覧者識別情報取得部０２０５と、提供情報閲覧者識別情報送信部０２０６と、を有する。端末装置は、提供情報閲覧者識別情報受信部０２０７、を有する。
【００１３】
<構成の説明>
以下に、実施形態１の構成を説明する。
【００１４】
<提供情報サーバ装置>
以下に、提供情報サーバ装置の構成要件を説明する。
【００１５】
（提供情報蓄積部）
以下に、提供情報蓄積部の説明をする。
提供情報蓄積部は、端末装置を識別するための情報である端末識別情報と関連付けられた提供情報を蓄積する。ここで「端末識別情報」とは、端末装置を識別するための情報である。端末識別情報には、本実施形態のマッチングシステムにおいてユニークなＩＤ番号が付与されている。また、端末識別情報は、携帯電話にあらかじめ付与されている端末ＩＤ番号などであってもよい。いずれも、情報提供者が特に認識している必要はない。「提供情報」とは、端末識別情報と関連付けられた提供者の情報のことをいう。提供情報には、氏名、性別、年齢、出身都道府県、現住所の地域、趣味、仕事、休みの日、出身校、家族構成、自己紹介、挨拶などの情報が該当する。一例として、提供情報には、（山田花子、２０才、Ｋ大学出身、趣味スケート）などが該当する。提供情報は、端末装置から取得されてもよいし、インターネット上に接続されている端末からＷｅｂページなどを介して取得されてもよい。提供情報は、提供情報閲覧部に送出される。
【００１６】
（提供情報閲覧部）
以下に、提供情報閲覧部の説明をする。
提供情報閲覧部は、提供情報を、提供情報を閲覧する者に提供する。本件発明においては、特に断らない限り、「閲覧者」を「提供情報を閲覧する者」の意味で使用するものとする。閲覧者は、提供情報閲覧部にアクセスすることにより、提供情報を閲覧する。ここで「閲覧者」とは、マッチングシステムに参加することを許可された者のことをいう。マッチングシステムへの参加は、有償であってもよいし、無償であってもよい。閲覧者は、提供情報サーバ装置に接続された端末（例えば、自分のパソコン、携帯電話やマッチングシステムが提供するパソコンなどの端末）から提供情報サーバ装置にアクセスすることにより、提供情報閲覧部にアクセスする。提供情報は、提供情報蓄積部から取得される。
【００１７】
（提供情報閲覧者識別情報取得部）
以下に、提供情報閲覧者識別情報取得部の説明をする。
提供情報閲覧者識別情報取得部は、提供情報を閲覧する者を識別する情報である提供情報閲覧者識別情報を取得する。ここで「提供情報閲覧者識別情報」には、マッチングシステムへ参加する際に、ユニークに付与されるＩＤ番号などが該当する。また、提供情報閲覧者識別情報は、携帯電話にあらかじめ付与されている端末ＩＤ番号などであってもよい。いずれも、閲覧者が特に認識している必要はない。提供情報閲覧者識別情報は、提供情報閲覧部より取得され、提供情報閲覧者識別情報送信部に送出される。提供情報閲覧者識別情報は、閲覧者の端末などから取得される。
【００１８】
（提供情報閲覧者識別情報送信部）
以下に、提供情報閲覧者識別情報送信部の説明をする。
提供情報閲覧者識別情報送信部は、提供情報閲覧者識別情報を、提供情報に関連付けられた端末識別情報で識別される端末に対して送信する。提供情報閲覧者識別情報の送信は、電波などの無線形式であってもよいし、インターネットや電話回線などの有線形式であってもよい。提供情報閲覧者識別情報は、提供情報閲覧者識別情報取得部から取得される。
【００１９】
<端末装置>
以下に、端末装置の構成要件を説明する。
【００２０】
（提供情報閲覧者識別情報受信部）
以下に、提供情報閲覧者識別情報受信部について説明する。
提供情報閲覧者識別情報受信部は、提供情報サーバ装置の提供情報閲覧者識別情報送信部から送信された提供情報閲覧者識別情報を受信する。提供情報閲覧者識別情報の受信は、電波などの無線形式であってもよいし、インターネットや電話回線などの有線形式であってもよい。提供情報閲覧者識別情報は、どんな閲覧者が閲覧しているかを知るために利用される。
【００２１】
<処理の流れ>
以下に、実施形態１の処理の流れを説明する。
図３は、本実施形態の処理の流れを示す図である。
【００２２】
<提供情報サーバ装置の処理>
まず、提供情報蓄積部は、端末装置を識別するための情報である端末識別情報と関連付けられた提供情報を蓄積する（ステップＳ０３０１）。次に、提供情報閲覧部は、提供情報の閲覧を検出する（ステップＳ０３０２）。次に、提供情報閲覧者識別情報取得部は、提供情報を閲覧する者を識別する情報である提供情報閲覧者識別情報を取得する（ステップＳ０３０３）。次に、提供情報閲覧者識別情報送信部は、提供情報閲覧者識別情報取得部で取得した提供情報閲覧者識別情報を、提供情報に関連付けられた端末識別情報で識別される端末に対して送信する（ステップＳ０３０４）。
【００２３】
<端末装置の処理>
次に、提供情報閲覧者識別情報受信部は、提供情報サーバ装置の提供情報閲覧者識別情報送信部から送信された提供情報閲覧者識別情報を受信する（ステップＳ０３０５）。
【００２４】
<具体的機能ブロック図に基づく説明>
以下に、実施形態１の具体的機能ブロック図について説明する。
図４は、本実施形態の具体的機能ブロック図である。
本実施形態のマッチングシステム０４００は、提供情報サーバ装置０４０１と、端末装置０４０２と、からなる。提供情報サーバ装置は、提供情報蓄積部０４０３と、提供情報閲覧部０４０４と、提供情報閲覧者識別情報取得部０４０５と、提供情報閲覧者識別情報送信部０４０６と、を有する。端末装置は、提供情報閲覧者識別情報受信部０４０７、を有する。
以下に、本実施形態のマッチングシステムについて、図４に基づいて具体的に説明する。
【００２５】
<提供情報サーバ装置>
以下に、提供情報サーバ装置について説明する。
【００２６】
（提供情報蓄積部）
以下に、提供情報蓄積部の説明をする。
提供情報蓄積部は、端末識別情報（例えば、ＩＤ００１、ＩＤ００２、・・・など）と関連付けられた提供情報を蓄積する。ここで提供情報は、端末識別情報ＩＤ００１に対しては（こんにちは、友だちになってネ）、端末識別情報ＩＤ００２に対しては（ちょっと会話したいんだけど）、端末識別情報ＩＤ００３に対しては（・・・）、・・・などが蓄積されている。提供情報は、端末装置から取得されてもよいし、インターネット上に接続されている端末からＷｅｂページなどを介して取得されてもよい。提供情報は、提供情報閲覧部に送出される。
【００２７】
（提供情報閲覧部）
以下に、提供情報閲覧部の説明をする。
閲覧者は、提供情報蓄積部から取得された上記端末識別情報と関連付けられた提供情報の中から、自分の気に入った提供情報である、端末識別情報ＩＤ００１の提供情報（こんにちは、友だちになってネ）を閲覧する。
【００２８】
（提供情報閲覧者識別情報取得部）
以下に、提供情報閲覧者識別情報取得部の説明をする。
提供情報閲覧者識別情報取得部は、提供情報閲覧部から提供情報閲覧者識別情報（例えば閲覧者ＩＤ０１２３）を取得する。取得された提供情報閲覧者識別情報（例えば閲覧者ＩＤ０１２３）は、提供情報閲覧者識別情報送信部に送出される。提供情報閲覧者識別情報（例えば閲覧者ＩＤ０１２３）は、閲覧者の端末などから取得される。
【００２９】
（提供情報閲覧者識別情報送信部）
以下に、提供情報閲覧者識別情報送信部の説明をする。
提供情報閲覧者識別情報送信部は、提供情報閲覧者識別情報取得部で取得した提供情報閲覧者識別情報（閲覧者ＩＤ０１２３）を、提供情報（こんにちは、友だちになってネ）に関連付けられた端末識別情報ＩＤ００１で識別される端末に対して送信する。
【００３０】
<端末装置>
以下に、端末装置の説明をする。
【００３１】
（提供情報閲覧者識別情報受信部）
以下に、提供情報閲覧者識別情報受信部について説明する。
提供情報閲覧者識別情報受信部は、提供情報サーバ装置の提供情報閲覧者識別情報送信部から送信された提供情報閲覧者識別情報（閲覧者ＩＤ０１２３）を受信する。端末識別情報ＩＤ００１で識別される端末は、提供情報閲覧者識別情報（閲覧者ＩＤ０１２３）を受信することにより、誰か（閲覧者ＩＤ０１２３）が自分の端末を閲覧していることを知る。また、提供情報閲覧者識別情報（閲覧者ＩＤ０１２３）には、閲覧者ＩＤ０１２３以外の他の情報が付加されていてもよい。
【００３２】
<具体例を用いた処理の流れ>
以下に、実施形態１の具体例を用いた処理の流れを説明する。
図５は、本実施形態の具体例を用いた処理の流れを示す図である。
【００３３】
<提供情報サーバ装置の処理>
まず、提供情報蓄積部は、端末装置を識別するための情報である端末識別情報（例えば、ＩＤ００１、ＩＤ００２、・・・など）と関連付けられた提供情報（（こんにちは、友だちになってネ）、（ちょっと会話したいんだけど）、・・・など）を蓄積する（ステップＳ０５０１）。次に、提供情報閲覧部は、提供情報（こんにちは、友だちになってネ）の閲覧を検出する（ステップＳ０５０２）。次に、提供情報閲覧者識別情報取得部は、提供情報（こんにちは、友だちになってネ）を閲覧する者を識別する情報である提供情報閲覧者識別情報（閲覧者ＩＤ０１２３）を取得する（ステップＳ０５０３）。次に、提供情報閲覧者識別情報送信部は、提供情報閲覧者識別情報取得部で取得した提供情報閲覧者識別情報（閲覧者ＩＤ０１２３）を、提供情報（こんにちは、友だちになってネ）に関連付けられた端末識別情報ＩＤ００１で識別される端末に対して送信する（ステップＳ０５０４）。
【００３４】
<端末装置の処理>
次に、提供情報閲覧者識別情報受信部は、提供情報サーバ装置の提供情報閲覧者識別情報送信部から送信された提供情報閲覧者識別情報（閲覧者ＩＤ０１２３）を受信する（ステップＳ０５０５）。
【００３５】
<その他>
以上の説明においては、端末装置も閲覧者端末もそれぞれ携帯端末のように、情報提供者も閲覧者も個々に離れた場所でコミュニケーションする場合を想定して説明したが、本実施形態はそれに限定されるものではない。端末装置の使用形態、閲覧者端末の形態については、以下に示すような使用形態も考えられる。
【００３６】
図６は、端末装置が、例えばオペレーションセンターのような場所に１箇所に集まっており、また閲覧者端末も１箇所の閲覧場所に集まって、情報提供者と閲覧者がコミュニケーションするような場合を示している。
【００３７】
図７は、端末装置が、例えばオペレーションセンターのような場所に１箇所に集まっており、閲覧者端末は携帯端末のように個々に離れている場所で情報提供者と閲覧者がコミュニケーションする場合を示している。また、逆に、端末装置が、携帯端末のように個々に離れている場所にあり、閲覧者端末は１箇所の閲覧場所に集まって、情報提供者と閲覧者がコミュニケーションするような場合を示している。さらに、端末装置が、例えばオペレーションセンターのような場所に１箇所に集まっており、例えばオペレーションセンターから携帯電話を持った情報提供者にマニュアルで提供情報閲覧者識別情報を通知する構成とすることもできる。
【００３８】
<実施形態１の効果の簡単な説明>
以下に、実施形態１の効果の簡単な説明をする。
本実施形態によれば、提供情報閲覧者識別情報を端末装置にリアルタイムに通知することができる。
【００３９】
<<実施形態２>>
<実施形態２の概念>
以下に、実施形態２の概念を説明する。
本実施形態の端末装置は、第一のメッセージである第一メッセージ取得部と、第一メッセージ取得部から取得された第一メッセージ情報を提供情報閲覧者識別情報と関連付けて送信する第一メッセージ情報送信部を有する実施形態１に記載のマッチングシステムに関する。
【００４０】
図８は、本実施形態の概念を説明するための図である。
提供情報閲覧者は、予め登録された複数の情報提供者の提供情報の中から自分の趣味・嗜好に合った提供情報を閲覧する。すると、提供情報閲覧者の識別情報が、提供情報を閲覧された情報提供者の端末装置に送信されることにより、情報提供者は誰かが自分の提供情報を閲覧したことを認識する。誰かが自分の提供情報を閲覧したことを認識した情報提供者は閲覧者にメッセージを送信する。
【００４１】
<構成要件の明示>
以下に、実施形態２の構成要件を明示する。
図９は、本実施形態のマッチングシステムの機能ブロック図である。
本実施形態のマッチングシステム０９００は、提供情報サーバ装置０９０１と、端末装置０９０２と、からなる。提供情報サーバ装置は、提供情報蓄積部０９０３と、提供情報閲覧部０９０４と、提供情報閲覧者識別情報取得部０９０５と、提供情報閲覧者識別情報送信部０９０６と、を有する。端末装置は、提供情報閲覧者識別情報受信部０９０７と、第一メッセージ取得部０９０８と、第一メッセージ情報送信部０９０９と、を有する。
【００４２】
<構成の説明>
以下に、実施形態２の構成を説明する。
【００４３】
<提供情報サーバ装置>
提供情報サーバ装置の構成要件については、実施形態１と同様なので説明を省略する。
【００４４】
<端末装置>
以下に、端末装置の構成要件を説明する。
【００４５】
（提供情報閲覧者識別情報受信部）
提供情報閲覧者識別情報受信部は、実施形態１と同様なので説明を省略する。
【００４６】
（第一メッセージ取得部）
以下に、第一メッセージ取得部について説明する。
第一メッセージ取得部は、第一のメッセージである第一メッセージを取得し、第一メッセージ情報を生成する。ここで「第一のメッセージ」とは、提供情報閲覧者識別情報送信部から送信された提供情報閲覧者識別情報の閲覧者に対するメッセージ（第一メッセージ）のことをいう。第一メッセージには、氏名、性別、年齢、出身都道府県、現住所の地域、趣味、仕事、休みの日、出身校、家族構成、現在地、自己紹介、挨拶、返事などの情報が該当する。また「第一メッセージ情報」とは、第一メッセージに自身の端末識別情報を付加した情報のことをいう。なお、第一メッセージは、提供情報の情報提供者が端末装置に直接マニュアルで入力されてもよいし、端末装置が自動的に生成してもよい。
【００４７】
（第一メッセージ情報送信部）
以下に、第一メッセージ情報送信部について説明する。
第一メッセージ情報送信部は、第一メッセージ取得部から取得された第一メッセージ情報を提供情報閲覧者識別情報と関連付けて送信する。第一メッセージ情報の送信は、電波などの無線形式であってもよいし、インターネットや電話回線などの有線形式であってもよい。なお、第一メッセージ情報は、提供情報閲覧者識別情報の閲覧者に対して送信される。
【００４８】
<処理の流れ>
以下に、実施形態２の処理の流れを説明する。
図１０は、本実施形態の処理の流れを示す図である。
【００４９】
<提供情報サーバ装置の処理>
まず、提供情報蓄積部は、端末装置を識別するための情報である端末識別情報と関連付けられた提供情報を蓄積する（ステップＳ１００１）。次に、提供情報閲覧部は、提供情報の閲覧を検出する（ステップＳ１００２）。次に、提供情報閲覧者識別情報取得部は、提供情報を閲覧する者を識別する情報である提供情報閲覧者識別情報を取得する（ステップＳ１００３）。次に、提供情報閲覧者識別情報送信部は、提供情報閲覧者識別情報取得部で取得した提供情報閲覧者識別情報を、提供情報に関連付けられた端末識別情報で識別される端末に対して送信する（ステップＳ１００４）。
【００５０】
<端末装置の処理>
次に、提供情報閲覧者識別情報受信部は、提供情報サーバ装置の提供情報閲覧者識別情報送信部から送信された提供情報閲覧者識別情報を受信する（ステップＳ１００５）。次に、第一メッセージ取得部は、第一メッセージ情報を取得する（ステップＳ１００６）。次に、第一メッセージ情報送信部は、第一メッセージ取得部から取得された第一メッセージ情報を提供情報閲覧者識別情報と関連付けて送信する（ステップＳ１００７）。
【００５１】
<具体的機能ブロック図に基づく説明>
以下に、実施形態２の具体的機能ブロック図について説明する。
図１１は、本実施形態の具体的機能ブロック図である。
本実施形態のマッチングシステム１１００は、提供情報サーバ装置１１０１と、端末装置１１０２と、からなる。提供情報サーバ装置は、提供情報蓄積部１１０３と、提供情報閲覧部１１０４と、提供情報閲覧者識別情報取得部１１０５と、提供情報閲覧者識別情報送信部１１０６と、を有する。端末装置は、提供情報閲覧者識別情報受信部１１０７と、第一メッセージ取得部１１０８と、第一メッセージ情報送信部１１０９と、を有する。
以下に、本実施形態のマッチングシステムについて、図１１に基づいて具体的に説明する。
【００５２】
<提供情報サーバ装置>
提供情報サーバ装置については、実施形態１と同様なので説明を省略する。
【００５３】
<端末装置>
以下に、端末装置の説明をする。
【００５４】
（提供情報閲覧者識別情報受信部）
提供情報閲覧者識別情報受信部は、実施形態１と同様なので説明を省略する。
【００５５】
（第一メッセージ取得部）
以下に、第一メッセージ取得部について説明する。
第一メッセージ取得部は、第一のメッセージである第一メッセージ（例えば、私は２０才です）を取得し、第一メッセージ情報（端末識別情報ＩＤ００１、私は２０才です）を取得する。なお、第一メッセージ（例えば、私は２０才です）は、提供情報の情報提供者が端末装置に直接マニュアルで入力されてもよいし、端末装置が自動的に生成してもよい。
【００５６】
（第一メッセージ情報送信部）
以下に、第一メッセージ情報送信部について説明する。
第一メッセージ情報送信部は、第一メッセージ取得部から取得された第一メッセージ情報（端末識別情報ＩＤ００１、私は２０才です）を提供情報閲覧者識別情報（閲覧者ＩＤ０１２３）と関連付けて送信する。
【００５７】
<具体例を用いた処理の流れ>
以下に、実施形態２の具体例を用いた処理の流れを説明する。
図１２は、本実施形態の具体例を用いた処理の流れを示す図である。
【００５８】
<提供情報サーバ装置の処理>
まず、提供情報蓄積部は、端末装置を識別するための情報である端末識別情報（例えば、ＩＤ００１、ＩＤ００２、・・・など）と関連付けられた提供情報（（こんにちは、友だちになってネ）、（ちょっと会話したいんだけど）、・・・など）を蓄積する（ステップＳ１２０１）。次に、提供情報閲覧部は、提供情報（こんにちは、友だちになってネ）の閲覧を検出する（ステップＳ１２０２）。次に、提供情報閲覧者識別情報取得部は、提供情報（こんにちは、友だちになってネ）を閲覧する者を識別する情報である提供情報閲覧者識別情報（閲覧者ＩＤ０１２３）を取得する（ステップＳ１２０３）。次に、提供情報閲覧者識別情報送信部は、提供情報閲覧者識別情報取得部で取得した提供情報閲覧者識別情報（閲覧者ＩＤ１２２３）を、提供情報（こんにちは、友だちになってネ）に関連付けられた端末識別情報ＩＤ００１で識別される端末に対して送信する（ステップＳ１２０４）。
【００５９】
<端末装置の処理>
次に、提供情報閲覧者識別情報受信部は、提供情報サーバ装置の提供情報閲覧者識別情報送信部から送信された提供情報閲覧者識別情報（閲覧者ＩＤ０１２３）を受信する（ステップＳ１２０５）。次に、第一メッセージ取得部は、第一メッセージ情報（端末識別情報ＩＤ００１、私は２０才です）を取得する（ステップＳ１２０６）。次に、第一メッセージ情報送信部は、第一メッセージ取得部から取得された第一メッセージ情報（端末識別情報ＩＤ００１、私は２０才です）を提供情報閲覧者識別情報（閲覧者ＩＤ０１２３）と関連付けて送信する（ステップＳ１２０７）。
【００６０】
<実施形態２の効果の簡単な説明>
以下に、実施形態２の効果の簡単な説明をする。
本実施形態によれば、提供情報閲覧者識別情報に基づいて、閲覧者に対する第一メッセージ情報を生成することができるため、閲覧者に従った適切なメッセージを交換することができる。
【００６１】
<<実施形態３>>
<実施形態３の概念>
以下に、実施形態３の概念を説明する。
本実施形態の提供情報サーバ装置は、端末装置のメッセージ送信部から送信された第一メッセージ情報を受信する第一メッセージ情報受信部と、第一メッセージ情報受信部で受信した第一メッセージ情報と関連付けられた提供情報閲覧者識別情報で識別される提供情報閲覧者に第一メッセージ情報に基づいて第一メッセージを閲覧させるための第一メッセージ出力部と、を有する実施形態２に記載のマッチングシステムに関する。
【００６２】
図１３は、本実施形態の概念を説明するための図である。
提供情報閲覧者は、予め登録された複数の情報提供者の提供情報の中から自分の趣味・嗜好に合った提供情報を閲覧する。すると、提供情報閲覧者の識別情報が、提供情報を閲覧された情報提供者の端末装置に送信されることにより、情報提供者は誰かが自分の提供情報を閲覧したことを認識する。誰かが自分の提供情報を閲覧したことを認識した情報提供者は閲覧者にメッセージを送信する。閲覧者は、端末装置からのメッセージを受信して見ることができる。
【００６３】
<構成要件の明示>
以下に、実施形態３の構成要件を明示する。
【００６４】
図１４は、本実施形態のマッチングシステムの機能ブロック図である。
本実施形態のマッチングシステム１４００は、提供情報サーバ装置１４０１と、端末装置１４０２と、からなる。提供情報サーバ装置は、提供情報蓄積部１４０３と、提供情報閲覧部１４０４と、提供情報閲覧者識別情報取得部１４０５と、提供情報閲覧者識別情報送信部１４０６と、第一メッセージ情報受信部１４１０と、第一メッセージ出力部１４１１と、を有する。端末装置は、提供情報閲覧者識別情報受信部１４０７と、第一メッセージ取得部１４０８と、第一メッセージ情報送信部１４０９と、を有する。
【００６５】
<構成の説明>
以下に、実施形態３の構成を説明する。
【００６６】
<提供情報サーバ装置>
提供情報サーバ装置の構成要件、提供情報蓄積部、提供情報閲覧部、提供情報閲覧者識別情報取得部、提供情報閲覧者識別情報送信部については、実施形態２と同様なので説明を省略する。
【００６７】
（第一メッセージ情報受信部）
以下に、第一メッセージ情報受信部について説明する。
第一メッセージ情報受信部は、端末装置のメッセージ送信部から送信された第一メッセージ情報を受信する。第一メッセージ情報の受信は、電波などの無線形式であってもよいし、インターネットや電話回線などの有線形式であってもよい。受信した第一メッセージ情報は、第一メッセージ情報出力部に送出される。
【００６８】
（第一メッセージ情報出力部）
以下に、第一メッセージ出力部について説明する。
第一メッセージ出力部は、第一メッセージ情報受信部で受信した第一メッセージ情報と関連付けられた提供情報閲覧者識別情報で識別される提供情報閲覧者に第一メッセージ情報に基づいて第一メッセージを閲覧させる。
【００６９】
<端末装置>
端末装置の構成要件については、実施形態２と同様なので説明を省略する。
【００７０】
<処理の流れ>
以下に、実施形態３の処理の流れを説明する。
図１５は、本実施形態の処理の流れを示す図である。
【００７１】
<提供情報サーバ装置の処理>
まず、提供情報蓄積部は、端末装置を識別するための情報である端末識別情報と関連付けられた提供情報を蓄積する（ステップＳ１５０１）。次に、提供情報閲覧部は、提供情報の閲覧を検出する（ステップＳ１５０２）。次に、提供情報閲覧者識別情報取得部は、提供情報を閲覧する者を識別する情報である提供情報閲覧者識別情報を取得する（ステップＳ１５０３）。次に、提供情報閲覧者識別情報送信部は、提供情報閲覧者識別情報取得部で取得した提供情報閲覧者識別情報を、提供情報に関連付けられた端末識別情報で識別される端末に対して送信する（ステップＳ１５０４）。
【００７２】
<端末装置の処理>
次に、提供情報閲覧者識別情報受信部は、提供情報サーバ装置の提供情報閲覧者識別情報送信部から送信された提供情報閲覧者識別情報を受信する（ステップＳ１５０５）。次に、第一メッセージ取得部は、第一メッセージ情報を取得する（ステップＳ１５０６）。次に、第一メッセージ情報送信部は、第一メッセージ取得部から取得された第一メッセージ情報を提供情報閲覧者識別情報と関連付けて送信する（ステップＳ１５０７）。
【００７３】
<提供情報サーバ装置の処理>
次に、第一メッセージ情報受信部は、端末装置のメッセージ送信部から送信された第一メッセージ情報を受信する（ステップＳ１５０８）。次に、第一メッセージ出力部は、第一メッセージ情報受信部で受信した第一メッセージ情報と関連付けられた提供情報閲覧者識別情報で識別される提供情報閲覧者に第一メッセージ情報に基づいて第一メッセージを閲覧させる（ステップＳ１５０９）。
【００７４】
<具体的機能ブロック図に基づく説明>
以下に、実施形態３の具体的機能ブロック図について説明する。
【００７５】
図１６は、本実施形態の具体的機能ブロック図である。
本実施形態のマッチングシステム１６００は、提供情報サーバ装置１６０１と、端末装置１６０２と、からなる。提供情報サーバ装置は、提供情報蓄積部１６０３と、提供情報閲覧部１６０４と、提供情報閲覧者識別情報取得部１６０５と、提供情報閲覧者識別情報送信部１６０６と、第一メッセージ情報受信部１６１０と、第一メッセージ出力部１６１１と、を有する。端末装置は、提供情報閲覧者識別情報受信部１６０７と、第一メッセージ取得部１６０８と、第一メッセージ情報送信部１６０９と、を有する。
以下に、本実施形態のマッチングシステムについて、図１６に基づいて具体的に説明する。
【００７６】
<提供情報サーバ装置>
以下に、提供情報サーバ装置の説明をする。
提供情報サーバ装置の提供情報蓄積部、提供情報閲覧部、提供情報閲覧者識別情報取得部、提供情報閲覧者識別情報送信部については、実施形態２と同様なので説明を省略する。
【００７７】
（第一メッセージ情報受信部）
以下に、第一メッセージ情報受信部について説明する。
第一メッセージ情報受信部は、端末装置のメッセージ送信部から送信された第一メッセージ情報（端末識別情報ＩＤ００１、私は２０才です）を受信する。受信した第一メッセージ情報（端末識別情報ＩＤ００１、私は２０才です）は、第一メッセージ情報出力部に送出される。
【００７８】
（第一メッセージ情報出力部）
以下に、第一メッセージ出力部について説明する。
第一メッセージ出力部は、第一メッセージ情報受信部で受信した第一メッセージ情報（端末識別情報ＩＤ００１、私は２０才です）と関連付けられた提供情報閲覧者識別情報（閲覧者ＩＤ０１２３）で識別される提供情報閲覧者に第一メッセージ情報（端末識別情報ＩＤ００１、私は２０才です）に基づいて第一メッセージ（私は２０才です）を閲覧させる。
【００７９】
<端末装置>
端末装置の構成要件については、実施形態２と同様なので説明を省略する。
【００８０】
<具体例を用いた処理の流れ>
以下に、実施形態３の具体例を用いた処理の流れを説明する。
図１７は、本実施形態の具体例を用いた処理の流れを示す図である。
【００８１】
<提供情報サーバ装置の処理>
まず、提供情報蓄積部は、端末装置を識別するための情報である端末識別情報（例えば、ＩＤ００１、ＩＤ００２、・・・など）と関連付けられた提供情報（（こんにちは、友だちになってネ）、（ちょっと会話したいんだけど）、・・・など）を蓄積する（ステップＳ１７０１）。次に、提供情報閲覧部は、提供情報（こんにちは、友だちになってネ）の閲覧を検出する（ステップＳ１７０２）。次に、提供情報閲覧者識別情報取得部は、提供情報（こんにちは、友だちになってネ）を閲覧する者を識別する情報である提供情報閲覧者識別情報（閲覧者ＩＤ０１２３）を取得する（ステップＳ１７０３）。次に、提供情報閲覧者識別情報送信部は、提供情報閲覧者識別情報取得部で取得した提供情報閲覧者識別情報（閲覧者ＩＤ１２２３）を、提供情報（こんにちは、友だちになってネ）に関連付けられた端末識別情報ＩＤ００１で識別される端末に対して送信する（ステップＳ１７０４）。
【００８２】
<端末装置の処理>
次に、提供情報閲覧者識別情報受信部は、提供情報サーバ装置の提供情報閲覧者識別情報送信部から送信された提供情報閲覧者識別情報（閲覧者ＩＤ０１２３）を受信する（ステップＳ１７０５）。次に、第一メッセージ取得部は、第一メッセージ情報（端末識別情報ＩＤ００１、私は２０才です）を取得する（ステップＳ１７０６）。次に、第一メッセージ情報送信部は、第一メッセージ取得部から取得された第一メッセージ情報（端末識別情報ＩＤ００１、私は２０才です）を提供情報閲覧者識別情報（閲覧者ＩＤ０１２３）と関連付けて送信する（ステップＳ１７０７）。
【００８３】
<提供情報サーバ装置の処理>
次に、第一メッセージ情報受信部は、端末装置のメッセージ送信部から送信された第一メッセージ情報（端末識別情報ＩＤ００１、私は２０才です）を受信する（ステップＳ１７０８）。次に、第一メッセージ出力部は、第一メッセージ情報受信部で受信した第一メッセージ情報（端末識別情報ＩＤ００１、私は２０才です）と関連付けられた提供情報閲覧者識別情報で識別される提供情報閲覧者（閲覧者ＩＤ０１２３）に第一メッセージ情報（端末識別情報ＩＤ００１、私は２０才です）に基づいて第一メッセージ（私は２０才です）を閲覧させる（ステップＳ１７０９）。
【００８４】
<実施形態３の効果の簡単な説明>
以下に、実施形態３の効果の簡単な説明をする。
本実施形態によれば、端末装置からの第一メッセージを出力してみることができる。
【００８５】
<<実施形態４>>
<実施形態４の概念>
以下に、実施形態４の概念を説明する。
本実施形態の端末は、端末装置の提供情報閲覧者識別情報受信部で受信した提供情報閲覧者識別情報に基づいて提供情報閲覧者に関する情報である提供情報閲覧者情報を取得する提供情報閲覧者情報取得部を有する実施形態１から３のいずれか一に記載のマッチングシステムに関する。
【００８６】
図１８は、本実施形態の概念を説明するための図である。
提供情報閲覧者は、予め登録された複数の情報提供者の提供情報の中から自分の趣味・嗜好に合った提供情報を閲覧する。すると、提供情報閲覧者の識別情報が、提供情報を閲覧された情報提供者の端末装置に送信されることにより、情報提供者は誰かが自分の提供情報を閲覧したことを認識する。この場合には、閲覧者ＩＤだけでなく、他の提供情報閲覧者情報が含まれていることが特徴的である。
【００８７】
<構成要件の明示>
以下に、実施形態４の構成要件を明示する。
【００８８】
図１９は、本実施形態のマッチングシステムの機能ブロック図である。
本実施形態のマッチングシステム１９００は、提供情報サーバ装置１９０１と、端末装置１９０２と、からなる。提供情報サーバ装置は、提供情報蓄積部１９０３と、提供情報閲覧部１９０４と、提供情報閲覧者識別情報取得部１９０５と、提供情報閲覧者識別情報送信部１９０６と、を有する。端末装置は、提供情報閲覧者識別情報受信部１９０７と、提供情報閲覧者情報取得部１９０８と、を有する。
【００８９】
<構成の説明>
以下に、実施形態４の構成を説明する。
【００９０】
<提供情報サーバ装置>
提供情報サーバ装置の構成要件については、実施形態１から３のいずれか一と同様なので説明を省略する。
【００９１】
<端末装置>
端末装置の構成要件、提供情報閲覧者識別情報受信部については、実施形態１から３のいずれか一と同様なので説明を省略する。
【００９２】
（提供情報閲覧者情報取得部）
以下に、提供情報閲覧者情報取得部について説明する。
提供情報閲覧者情報取得部は、端末装置の提供情報閲覧者識別情報受信部で受信した提供情報閲覧者識別情報に基づいて、提供情報閲覧者情報を取得する。ここで「提供情報閲覧者情報」とは、提供情報閲覧者に関する情報のことをいう。また、「基づいて」という表現は、提供情報閲覧者識別情報と提供情報閲覧者情報が一対一に対応して関連付けられているという意味である。提供情報閲覧者識別情報と提供情報閲覧者情報との関連付けは、提供情報サーバ装置で行われる。ここで「提供情報閲覧者情報」には、氏名、性別、年齢、出身都道府県、現住所の地域、趣味、仕事、休みの日、出身校、家族構成、自己紹介、挨拶などの情報が該当する。
【００９３】
<処理の流れ>
以下に、実施形態４の処理の流れを説明する。
図２２は、本実施形態の処理の流れを示す図である。
【００９４】
<提供情報サーバ装置の処理>
まず、提供情報蓄積部は、端末装置を識別するための情報である端末識別情報と関連付けられた提供情報を蓄積する（ステップＳ２００１）。次に、提供情報閲覧部は、提供情報の閲覧を検出する（ステップＳ２００２）。次に、提供情報閲覧者識別情報取得部は、提供情報を閲覧する者を識別する情報である提供情報閲覧者識別情報を取得する（ステップＳ２００３）。次に、提供情報閲覧者識別情報送信部は、提供情報閲覧者識別情報取得部で取得した提供情報閲覧者識別情報を、提供情報に関連付けられた端末識別情報で識別される端末に対して送信する（ステップＳ２００４）。
【００９５】
<端末装置の処理>
次に、提供情報閲覧者識別情報受信部は、提供情報サーバ装置の提供情報閲覧者識別情報送信部から送信された提供情報閲覧者識別情報を受信する（ステップＳ２００５）。次に、提供情報閲覧者情報取得部は、端末装置の提供情報閲覧者識別情報受信部で受信した提供情報閲覧者識別情報に基づいて提供情報閲覧者に関する情報である提供情報閲覧者情報を取得する（ステップＳ２００６）。
【００９６】
<具体的機能ブロック図に基づく説明>
以下に、実施形態４の具体的機能ブロック図について説明する。
【００９７】
図２１は、本実施形態の具体的機能ブロック図である。
本実施形態のマッチングシステム２１００は、提供情報サーバ装置２１０１と、端末装置２１０２と、からなる。提供情報サーバ装置は、提供情報蓄積部２１０３と、提供情報閲覧部２１０４と、提供情報閲覧者識別情報取得部２１０５と、提供情報閲覧者識別情報送信部２１０６と、を有する。端末装置は、提供情報閲覧者識別情報受信部２１０７と、提供情報閲覧者情報取得部２１０８と、を有する。
以下に、本実施形態のマッチングシステムについて、図２１に基づいて具体的に説明する。
【００９８】
<提供情報サーバ装置>
提供情報サーバ装置については、実施形態１から３のいずれか一と同様なので説明を省略する。
【００９９】
<端末装置>
端末装置の提供情報閲覧者識別情報受信部については、実施形態１から３のいずれか一と同様なので説明を省略する。
【０１００】
（提供情報閲覧者情報取得部）
以下に、提供情報閲覧者情報取得部について説明する。
提供情報閲覧者情報取得部は、端末装置の提供情報閲覧者識別情報受信部で受信した提供情報閲覧者識別情報（閲覧者ＩＤ０１２３）に基づいて提供情報閲覧者に関する情報である提供情報閲覧者情報（例えば、男、２１才、Ｔ大学出身、趣味ホッケー）を取得する。
【０１０１】
<具体例を用いた処理の流れ>
以下に、実施形態４の具体例を用いた処理の流れを説明する。
図２２は、本実施形態の具体例を用いた処理の流れを示す図である。
【０１０２】
<提供情報サーバ装置の処理>
まず、提供情報蓄積部は、端末装置を識別するための情報である端末識別情報（例えば、ＩＤ００１、ＩＤ００２、・・・など）と関連付けられた提供情報（（こんにちは、友だちになってネ）、（ちょっと会話したいんだけど）、・・・など）を蓄積する（ステップＳ２２０１）。次に、提供情報閲覧部は、提供情報（こんにちは、友だちになってネ）の閲覧を検出する（ステップＳ２２０２）。次に、提供情報閲覧者識別情報取得部は、提供情報（こんにちは、友だちになってネ）を閲覧する者を識別する情報である提供情報閲覧者識別情報（閲覧者ＩＤ０１２３）を取得する（ステップＳ２２０３）。次に、提供情報閲覧者識別情報送信部は、提供情報閲覧者識別情報取得部で取得した提供情報閲覧者識別情報（閲覧者ＩＤ１２２３）を、提供情報（こんにちは、友だちになってネ）に関連付けられた端末識別情報ＩＤ００１で識別される端末に対して送信する（ステップＳ２２０４）。
【０１０３】
<端末装置の処理>
次に、提供情報閲覧者識別情報受信部は、提供情報サーバ装置の提供情報閲覧者識別情報送信部から送信された提供情報閲覧者識別情報（閲覧者ＩＤ０１２３）を受信する（ステップＳ２２０５）。次に、提供情報閲覧者情報取得部は、端末装置（端末識別情報ＩＤ００１）の提供情報閲覧者識別情報受信部で受信した提供情報閲覧者識別情報（閲覧者ＩＤ０１２３）に基づいて提供情報閲覧者に関する情報である提供情報閲覧者情報（男、２１才、Ｔ大学出身、趣味ホッケー）を取得する（ステップＳ２２０６）。
【０１０４】
<実施形態４の効果の簡単な説明>
以下に、実施形態４の効果の簡単な説明をする。
本実施形態によれば、端末装置は提供情報閲覧者に関する情報である提供情報閲覧者情報を見ることができるので、閲覧者の情報を知ることができる。
【産業上の利用可能性】
【０１０５】
本件発明は、提供情報を閲覧した閲覧者の情報を、情報提供者がリアルタイムに見ることができるマッチングシステムに利用可能である。
【図面の簡単な説明】
【０１０６】
【図１】実施形態１の概念図
【図２】実施形態１の機能ブロック図
【図３】実施形態１の処理の流れ図
【図４】実施形態１の具体的機能ブロック図
【図５】実施形態１の具体的処理の流れ図
【図６】実施形態１の利用形態その１を説明する図
【図７】実施形態１の利用形態その２を説明する図
【図８】実施形態２の概念図
【図９】実施形態２の機能ブロック図
【図１０】実施形態２の処理の流れ図
【図１１】実施形態２の具体的機能ブロック図
【図１２】実施形態２の具体的処理の流れ図
【図１３】実施形態３の概念図
【図１４】実施形態３の機能ブロック図
【図１５】実施形態３の処理の流れ図
【図１６】実施形態３の具体的機能ブロック図
【図１７】実施形態３の具体的処理の流れ図
【図１８】実施形態４の概念図
【図１９】実施形態４の機能ブロック図
【図２０】実施形態４の処理の流れ図
【図２１】実施形態４の具体的機能ブロック図
【図２２】実施形態４の具体的処理の流れ図
【符号の説明】
【０１０７】
０２００  マッチングシステム
０２０１  提供情報サーバ装置
０２０２  端末装置
０２０３  提供情報蓄積部
０２０４  提供情報閲覧部
０２０５  提供情報閲覧者識別情報取得部
０２０６  提供情報閲覧者識別情報送信部
０２０７  提供情報閲覧者識別情報受信部
【図１】
2005234828.tif 000003
【図２】
2005234828.tif 000004
【図３】
2005234828.tif 000005
【図４】
2005234828.tif 000006
【図５】
2005234828.tif 000007
【図６】
2005234828.tif 000008
【図７】
2005234828.tif 000009
【図８】
2005234828.tif 000010
【図９】
2005234828.tif 000011
【図１０】
2005234828.tif 000012
【図１１】
2005234828.tif 000013
【図１２】
2005234828.tif 000014
【図１３】
2005234828.tif 000015
【図１４】
2005234828.tif 000016
【図１５】
2005234828.tif 000017
【図１６】
2005234828.tif 000018
【図１７】
2005234828.tif 000019
【図１８】
2005234828.tif 000020
【図１９】
2005234828.tif 000021
【図２０】
2005234828.tif 000022
【図２１】
2005234828.tif 000023
【図２２】
2005234828.tif 000024